(57)【要約】  本公開の実施例は、タッチ基板および表示装置を提供し、前記タッチ基板は、行、列に配置された複数のタッチユニットを含み、各前記タッチユニットは、接続部によって接続された第１の電極ブロックと、ブリッジ部によって接続された第２の電極ブロックとを含み、前記接続部は前記ブリッジ部と交差するように設置され、且つ前記接続部と前記ブリッジ部との間には絶縁層が設けられ、前記複数のタッチユニットは、前記タッチ基板の弧状縁に近接する第１のタッチユニットと、前記タッチ基板の弧状縁から離れた第２のタッチユニットとを含み、各前記第１のタッチユニットにおける接続部とブリッジ部との交差点は、前記タッチ基板の弧状縁から離れ、各前記第２のタッチユニットにおける接続部とブリッジ部との交差点は、該第２のタッチユニットの中央位置に位置する。
2020531934.tif 000002
【特許請求の範囲】
【請求項１】
行、列に配置された複数のタッチユニットを含み、
各前記タッチユニットは、接続部によって接続された第１の電極ブロックと、ブリッジ部によって接続された第２の電極ブロックと、を含み、
前記接続部は前記ブリッジ部と交差するように設置され、且つ前記接続部と前記ブリッジ部との間には絶縁層が設けられ、
前記複数のタッチユニットは、タッチ基板の弧状縁に近接する第１のタッチユニットと、前記タッチ基板の弧状縁から離れた第２のタッチユニットと、を含み、
各前記第１のタッチユニットにおける接続部とブリッジ部との交差点は、前記タッチ基板の弧状縁から離れ、
各前記第２のタッチユニットにおける接続部とブリッジ部との交差点は、該第２のタッチユニットの中央位置に位置する弧状縁を有するタッチ基板。
【請求項２】
前記第１のタッチユニットにおける接続部とブリッジ部との交差位置から前記タッチ基板の縁までの最小距離が所定閾値以上の時、前記第１のタッチユニットにおける接続部とブリッジ部との交差位置が前記タッチ基板の縁から離れる請求項１に記載のタッチ基板。
【請求項３】
前記第１のタッチユニットにおける接続部とブリッジ部との交差点は、前記第１のタッチユニットの中央位置近くに位置する請求項１に記載のタッチ基板。
【請求項４】
前記第１のタッチユニットにおける第１の電極ブロックの面積の合計は、第２の電極ブロックの面積の合計と等しい請求項１に記載のタッチ基板。
【請求項５】
前記複数のタッチユニットは、複数の前記第１のタッチユニットを含む請求項１に記載のタッチ基板。
【請求項６】
各前記タッチユニットにおける第１の電極ブロック、第２の電極ブロック、接続部は同じ層に設置され、且つ材料も同一である請求項１に記載のタッチ基板。
【請求項７】
各前記タッチユニットにおける第１の電極ブロック、第２の電極ブロック、接続部の材料は、酸化インジウム錫である請求項６に記載のタッチ基板。
【請求項８】
前記第１の電極ブロックは列方向に沿って配置され、前記第２の電極ブロックは行方向に沿って配置され、列方向において、２つの隣接するタッチユニット内に位置する第１の電極ブロックが一体構造であり、行方向において、２つの隣接するタッチユニット内に位置する第２の電極ブロックが一体構造である請求項１に記載のタッチ基板。
【請求項９】
各前記タッチユニットにおいて、接続部によって接続された第１の電極ブロックをタッチ電極とし、ブリッジ部によって接続された第２の電極ブロックを誘導電極とする請求項１に記載のタッチ基板。
【請求項１０】
請求項１〜９のいずれか一項に記載のタッチ基板を含む表示装置。
【発明の詳細な説明】
【技術分野】
【０００１】
本公開は表示技術の分野に属し、具体的にタッチ基板および表示装置に関する。
【背景技術】
【０００２】
弧状縁を有するタッチ基板があり、例えば、該タッチ基板は、交差するように設置された数本の第１の電極と数本の第２の電極を含み、各第１の電極は複数の第１の電極ブロックを有し、隣接する第１の電極ブロック間は接続部によって接続され、各第２の電極は複数の第２の電極ブロックを有し、隣接する第２の電極ブロック間はブリッジ部によって接続され、前記第１の電極と前記第２の電極は、前記接続部および前記ブリッジ部に交差するように設置され、即ち、各前記接続部と各前記ブリッジ部は交差するように設置され、且つ前記接続部と前記ブリッジ部との間には絶縁層が設けられる。前記タッチ基板は複数のタッチユニットを含み、各前記タッチユニットは、少なくとも一組の交差するように設置された前記接続部と前記ブリッジ部、それらに接続された第１の電極ブロックと第２の電極ブロックを含み、一般的に、交差するように設置された前記接続部と前記ブリッジ部は、前記タッチユニットの中央位置に位置し、前記タッチユニットにおいて前記接続部によって接続された第１の電極ブロックと前記ブリッジ部によって接続された前記第２の電極ブロックのうちの１つがタッチ電極であり、もう一つが誘導電極である。
【発明の概要】
【発明が解決しようとする課題】
【０００３】
例えば、前記タッチ基板の少なくとも一部の縁が弧状縁である場合、該弧状縁に近いタッチユニットにおいて、該弧状縁に近い第１の電極ブロックと第２の電極ブロックの大きさおよび形状は該弧状縁に制限され、その面積は明らかに該弧状縁から離れた第１の電極ブロックと第２の電極ブロックの面積よりも小さく、これによって、該弧状縁に近いタッチユニットの接続部およびブリッジ部が前記タッチ基板の縁に近づきすぎて、該タッチユニットの接続部およびブリッジ部が前記タッチ基板の縁と配線ショートするリスクが高まり、前記タッチ基板の歩留まりが低下することになる。
【課題を解決するための手段】
【０００４】
本公開の実施例では、行、列に配置された複数のタッチユニットを含み、各前記タッチユニットは、接続部によって接続された第１の電極ブロックと、ブリッジ部によって接続された第２の電極ブロックとを含み、前記接続部は前記ブリッジ部と交差するように設置され、且つ前記接続部と前記ブリッジ部との間には絶縁層が設けられ、前記複数のタッチユニットは、前記タッチ基板の弧状縁に近接する第１のタッチユニットと、前記タッチ基板の弧状縁から離れた第２のタッチユニットとを含み、各前記第１のタッチユニットにおける接続部とブリッジ部との交差点は、前記タッチ基板の弧状縁から離れ、各前記第２のタッチユニットにおける接続部とブリッジ部との交差点は、該第２のタッチユニットの中央位置に位置する、弧状縁を有するタッチ基板を提供する。
【０００５】
一部の実施形態において、前記第１のタッチユニットにおける接続部とブリッジ部との交差位置から前記タッチ基板の縁までの最小距離が所定閾値以上の時、前記第１のタッチユニットにおける接続部とブリッジ部との交差位置が前記タッチ基板の縁から離れる。
【０００６】
一部の実施形態において、前記第１のタッチユニットにおける接続部とブリッジ部との交差点は、前記第１のタッチユニットの中央位置近くに位置する。
【０００７】
一部の実施形態において、前記第１のタッチユニットにおける第１の電極ブロックの面積の合計は、第２の電極ブロックの面積の合計と等しい。
【０００８】
一部の実施形態において、前記複数のタッチユニットは、複数の前記第１のタッチユニットを含む。
【０００９】
一部の実施形態において、前記タッチユニットにおける第１の電極ブロック、第２の電極ブロック、接続部は同じ層に設置され、且つ材料も同一である。
【００１０】
一部の実施形態において、各前記タッチユニットにおける第１の電極ブロック、第２の電極ブロック、接続部の材料は、酸化インジウム錫である（ＩＴＯ）。
【００１１】
一部の実施形態において、前記第１の電極ブロックは列方向に沿って配置され、前記第２の電極ブロックは行方向に沿って配置され、列方向において、２つの隣接するタッチユニット内に位置する第１の電極ブロックが一体構造であり、行方向において、２つの隣接するタッチユニット内に位置する第２の電極ブロックが一体構造である。
【００１２】
一部の実施形態において、各前記タッチユニットにおいて、接続部によって接続された第１の電極ブロックをタッチ電極とし、ブリッジ部によって接続された第２の電極ブロックを誘導電極とする。
【００１３】
本公開の実施例では、上記のタッチ基板を含む表示装置をさらに提供する。
【図面の簡単な説明】
【００１４】
【図１】弧状縁を有するタッチ基板の概念図である。
【図２】本公開の実施例における弧状縁を有するタッチ基板の概念図である。
【図３】本公開の実施例におけるもう一つの弧状縁を有するタッチ基板の概念図である。
【発明を実施するための形態】
【００１５】
本公開の技術案を当業者がよりよく理解できるよう、以下では図面と具体的な実施形態を組合せて、本公開の技術案をさらに詳細に説明する。
【００１６】
図１は、弧状縁を有するタッチ基板の概念図である。図１に示すように、該タッチ基板は、交差するように設置された数本の第１の電極（ＴＸｎ〜ＴＸｎ−３）と数本の第２の電極（ＲＸｎ〜ＲＸｎ−３）を含む。例として、各第１の電極は列方向に沿って伸び、前記数本の第１の電極は行方向に沿って配置され、各第２の電極は行方向に沿って伸び、前記数本の第２の電極は行方向に沿って配置される。
【００１７】
各第１の電極は複数の第１の電極ブロックを有し、隣接する第１の電極ブロック間は接続部によって接続され、各第２の電極は複数の第２の電極ブロックを有し、隣接する第２の電極ブロック間はブリッジ部によって接続され、前記第１の電極と前記第２の電極は、前記接続部および前記ブリッジ部に交差するように設置され、即ち、各前記接続部と各前記ブリッジ部は交差するように設置され、且つ前記接続部と前記ブリッジ部との間には絶縁層が設けられる。
【００１８】
図１に示すように、交差するように設置された前記接続部と前記ブリッジ部の交差位置を中心に、同じ接続部に接続された２つの１／２の第１の電極ブロックと、同じブリッジ部に接続された２つの１／２の第２の電極ブロックとが１つのタッチユニット１０を構成する。即ち、前記タッチ基板は、行、列に配置された複数のタッチユニットを含む。各タッチユニットでは、例えば、前記接続部によって接続された２つの１／２の第１の電極ブロックをタッチ電極１１とし、前記ブリッジ部によって接続された２つの１／２の第２の電極ブロックを誘導電極１２とする。
【００１９】
各タッチユニットでは、前記接続部によって接続された２つの１／２の第１の電極ブロックを誘導電極とすることができるので、前記ブリッジ部によって接続された２つの１／２の第２の電極ブロックをタッチ電極とすることができることが理解されるであろう。
【００２０】
図１に示す例において、前記タッチ基板の左上隅の縁は弧状縁であるため、該弧状縁に近いタッチユニットにおいて、該弧状縁に近い第１の電極ブロックと第２の電極ブロックの大きさおよび形状は該弧状縁に制限され、その面積は明らかに該弧状縁から離れた第１の電極ブロックと第２の電極ブロックの面積よりも小さく、これによって、該弧状縁に近いタッチユニットの接続部およびブリッジ部が前記タッチ基板の縁に近づきすぎて、該タッチユニットの接続部およびブリッジ部が前記タッチ基板の縁と配線ショートするリスクが高まり、前記タッチ基板の歩留まりが低下することになる。
【００２１】
図２と図３は、本公開の実施例における弧状縁を有するタッチ基板の例を示している。
【００２２】
図２と図３に示すように、前記タッチ基板は、行、列に配置された複数のタッチユニットを含み、各前記タッチユニットは、接続部によって接続された第１の電極ブロックと、ブリッジ部によって接続された第２の電極ブロックとを含み、前記接続部は前記ブリッジ部と交差するように設置され、且つ前記接続部と前記ブリッジ部との間には絶縁層が設けられ、前記複数のタッチユニットは、前記タッチ基板の弧状縁に近接する第１のタッチユニット１と、前記タッチ基板の弧状縁から離れた第２のタッチユニット２とを含み、各前記第１のタッチユニット１における接続部とブリッジ部との交差点は、前記タッチ基板の弧状縁から離れ、各前記第２のタッチユニット２における接続部とブリッジ部との交差点は、該第２のタッチユニット２の中央位置に位置する。
【００２３】
一部の実施形態において、前記第１のタッチユニット１における接続部とブリッジ部との交差位置から前記タッチ基板の縁までの最小距離と所定閾値を比較して、前記第１のタッチユニット１における接続部とブリッジ部との交差位置が前記タッチ基板の縁から離れているかを判断する。
【００２４】
例えば、前記最小距離が前記所定閾値以上の時、前記第１のタッチユニット１における接続部とブリッジ部との交差位置が前記タッチ基板の縁から離れていると判断する。
【００２５】
一部の実施形態において、同行に設置された複数の第２のタッチユニット２における接続部とブリッジ部との交差点は同一の行に位置し、同列に設置された複数の第２のタッチユニット２における接続部とブリッジ部との交差点は同一の列に位置し、各前記第１のタッチユニット１における接続部とブリッジ部との交差点は、該第１のタッチユニット１と同行に設置された第２のタッチユニット２における接続部とブリッジ部との交差点が所在する行と比較して、前記タッチ基板の縁から離れた側に位置し、該第１のタッチユニット１と同列に設置された第２のタッチユニット２における接続部とブリッジ部との交差点が所在する列と比較して、前記タッチ基板の縁から離れた側に位置する。
【００２６】
一部の実施形態において、各前記第１のタッチユニット１における接続部とブリッジ部との交差点は、前記第１のタッチユニット１の中央位置近くに位置する。
【００２７】
ここで説明が必要なことは、本実施例において、例えば、各前記第２のタッチユニット２に関して言えば、その接続部とブリッジ部の交差位置が該第２のタッチユニット２の中央位置であり、２つの１／２の第１の電極ブロックが前記接続部によって接続され、２つの１／２の第２の電極ブロックが前記ブリッジ部によって接続され、各前記第１のタッチユニット１に関して言えば、その接続部とブリッジ部の交差位置が該第１のタッチユニット１の中央位置にあるとは限らず、且つ第１のタッチユニット１が前記タッチ基板の弧状縁に近く、前記タッチ基板の弧状縁の影響を受け、各前記第１のタッチユニット１における第１の電極ブロックと第２の電極ブロックの形状および大きさは不規則であってもよい。例えば、前記第２のタッチユニット２における第１の電極ブロックと第２の電極ブロックの形状および大きさと異なってもよく、第１のタッチユニット１における接続部とブリッジ部との交差位置が前記タッチ基板の縁から離れていればよい。
【００２８】
一部の実施形態において、前記第１のタッチユニット１における第１の電極ブロックと第２の電極ブロックの形状および大きさはそれぞれ異なってもよく、前記第２のタッチユニット２における第１の電極ブロックと第２の電極ブロックの形状および大きさは同じでもよい。
【００２９】
一部の実施形態において、前記第１のタッチユニット１における第１の電極ブロックの面積の合計は、第２の電極ブロックの面積の合計と等しい。
【００３０】
本実施例において、各前記タッチユニットでは、例えば、前記接続部によって接続された第１の電極ブロックをタッチ電極１１とし、前記ブリッジ部によって接続された第２の電極ブロックを誘導電極１２とする。なお、代替として、各タッチユニットにおいて、前記接続部によって接続された第１の電極ブロックを誘導電極とすることにより、前記ブリッジ部によって接続された第２の電極ブロックをタッチ電極とすることができることが理解されるであろう。
【００３１】
一部の実施形態において、行方向上で、２つの隣接するタッチユニット内に位置する第２の電極ブロックは一体構造であり、列方向上で、２つの隣接するタッチユニット内に位置する第１の電極ブロックは一体構造である。
【００３２】
本実施例のタッチ基板において、前記タッチ基板に近い弧状縁の第１のタッチユニット１における接続部とブリッジ部が前記タッチ基板の弧状縁から離れ、即ち、前記タッチ基板の中央領域へ移動したため、第１のタッチユニット１の接続部およびブリッジ部が前記タッチ基板の縁と配線ショートするリスクを有効的に低下させ、同時に、第１のタッチユニット１における第１の電極ブロックおよび第２の電極ブロックの形状も相応に変化させて、第１のタッチユニット１における第１の電極ブロックの面積の合計と第２の電極ブロックの面積の合計とを比較的均一にすることにより、前記タッチ基板の前記弧状縁に近い位置のタッチ感度を保証することができる。
【００３３】
図２に示すタッチ基板には、１つの第１のタッチユニット１のみが含まれる。図２に示すように、第１のタッチユニット１は前記タッチ基板の弧状縁に近く、その接続部とブリッジ部の交差点が位置Ａに位置し、これで見られるように、位置Ａは、第１のタッチユニット１と同行又は同列に設置された第２のタッチユニット２における接続部とブリッジ部との交差点の位置と比較して、前記タッチ基板の中央位置により近いため、位置Ａにおける接続部とブリッジ部が前記タッチ基板の縁に近づきすぎることが防止され、位置Ａにおける接続部とブリッジ部が前記タッチ基板の縁と配線ショートするリスクを低下させる。同時に、第１のタッチユニット１の形状も第２のタッチユニット２に対して変化させ、且つ第１の電極ブロックと第２の電極ブロックの形状も相応に変化させて、第１のタッチユニットにおける第１の電極ブロックの面積の合計と第２の電極ブロックの面積の合計とを比較的均一にすることにより、前記タッチ基板の前記弧状縁に近い位置のタッチ感度を保証することができる。
【００３４】
本公開の技術案の構想と適合する限り、当業者は需要に応じて、前記第１のタッチユニット１における第１の電極ブロックと第２の電極ブロックの形状および面積を設置することができることが理解されるであろう。
【００３５】
図３に示すタッチ基板は、４つの第１のタッチユニット１を含む。図３に示すように、前記タッチ基板の弧状縁が係る領域が大きい場合、該弧状縁に近接して複数の第１のタッチユニット１を形成する必要があり、これらの第１のタッチユニット１の接続部とブリッジ部はいずれも前記タッチ基板の中央へ移動する。
【００３６】
図３に示すように、４つの第１のタッチユニット１の接続部とブリッジ部との交差点はそれぞれ位置Ａ、Ｂ、Ｃ、Ｄに位置し、図面から見られるように、それぞれ各第１のタッチユニット１と同行又は同列に設置された第２のタッチユニット２における接続部とブリッジ部との交差点に対して、位置Ａ、Ｂ、Ｃ、Ｄにおける接続部とブリッジ部は、前記タッチ基板の中央位置により近いため、位置Ａ、Ｂ、Ｃ、Ｄにおける接続部とブリッジ部が前記タッチ基板の縁に近づきすぎることが防止され、位置Ａ、Ｂ、Ｃ、Ｄにおける接続部とブリッジ部が前記タッチ基板の縁と配線ショートするリスクを低下させる。同時に、各第１のタッチユニット１の形状も第２のタッチユニット２に対して変化させ、且つ第１の電極ブロックと第２の電極ブロックの形状も相応に変化させて、各第１のタッチユニット１における第１の電極ブロックの面積の合計と第２の電極ブロックの面積の合計とを比較的均一にすることにより、前記タッチ基板の前記弧状縁に近い位置のタッチ感度を保証することができる。
【００３７】
本公開の技術案の構想と適合する限り、当業者は需要に応じて、各前記第１のタッチユニット１における第１の電極ブロックと第２の電極ブロックの形状および面積を設置することができることが理解されるであろう。
【００３８】
ここで説明が必要なことは、図３に示す４つの第１のタッチユニット１の形状および大きさはそれぞれ異なってもよく、且つ位置Ａ、Ｂ、Ｃ、Ｄと、それぞれが所在する第１のタッチユニット１の前記タッチ基板の弧状縁に近い辺との距離が異なってもよいことである。
【００３９】
例えば、位置Ａと、それが所在する第１のタッチユニット１における前記タッチ基板の弧状縁に近い辺（即ち、前記タッチ基板の弧状縁）との最小距離は第１の所定閾値より大きくてもよく、位置Ｂと、それが所在する第１のタッチユニット１における前記タッチ基板の弧状縁に近い辺（即ち、前記タッチ基板の弧状縁）との最小距離は第２の所定閾値より大きくてもよく、位置Ｃと、それが所在する第１のタッチユニット１における前記タッチ基板の弧状縁に近い辺（即ち、前記タッチ基板の弧状縁）との最小距離は第３の所定閾値より大きくてもよく、位置Ｄと、それが所在する第１のタッチユニット１における前記タッチ基板の状縁に近い辺との最小距離は第４の所定閾値より大きくてもよい。
【００４０】
一部の実施形態において、本実施例のタッチユニット（第１のタッチユニット１と第２のタッチユニット２を含む）における第１の電極ブロック、第２の電極ブロック、接続部は同じ層に設置され、且つ材料も同一であり、該状況では、１回のパターニングプロセスでこれら３つの構造を形成することができる。
【００４１】
一部の実施形態において、本実施例における第１の電極ブロック、第２の電極ブロック、接続部の材料はいずれも酸化インジウム錫（ＩＴＯ）であるが、当然ながら、本公開の技術案はこれに限らず、当業者は他の材料を用いて、前記第１の電極ブロック、前記第２の電極ブロックおよび前記接続部を形成することもできる。
【００４２】
本実施例では、上記のタッチ基板を含む表示装置をさらに提供する。該表示装置は、携帯電話、タブレットコンピュータ、テレビ、ディスプレイ、ノートブックコンピュータ、デジタルフォトフレーム、ナビゲータ等の表示機能を有する任意の製品または部材とすることができる。
【００４３】
当然ながら、本実施例の表示装置には、電源装置、表示駆動装置等の他の従来構造も含むことができる。
【００４４】
以上の実施例および実施形態は、本公開の原理を説明するために用いた例示に過ぎず、本公開はこれに限定されないことを理解されたい。相互に排他的ではない状況で、本公開の上記実施例および実施形態の技術特徴は、任意に組み合わせることができる。当業者は、本公開の趣旨を逸脱しない限り、各種の変形および改善を行うことができ、これらの変形および改善も本公開の請求範囲にあると見なされる。
【符号の説明】
【００４５】
１  第１のタッチユニット
２  第２のタッチユニット
１０  タッチユニット
１１  タッチ電極
１２  誘導電極
ＴＸｎ〜ＴＸｎ−３  第１の電極
ＲＸｎ〜ＲＸｎ−３  第２の電極
【図１】
2020531934.tif 000003
【図２】
2020531934.tif 000004
【図３】
2020531934.tif 000005
【国際調査報告】
2020531934.tif 000006
2020531934.tif 000007
2020531934.tif 000008
2020531934.tif 000009